(57)【要約】      （修正有）【課題】プライバシを保護する工夫が図られたデジタルカメラを提供する．【解決手段】自身が有する固有情報に基づいて暗号きーを作成する暗号キー作成部と撮影によって得られた画像データを前記暗号キーにより暗号化する暗号処理部と画像データが記録される記録メディアが装抜自在に装填されるメディア装填部と暗号化された画像データをメディア装填部に装填された記録メディアに記録する画像記録部と暗号キーを用い暗号化された画像データを復号化する復号処理部と画像表示部とを備える。【選択図】        図３
2004173154.tif 000002
【特許請求の範囲】
【請求項１】
撮像素子上に結像された被写体像を読み取って画像データを得る写真撮影を行なうデジタルカメラにおいて、
自身が有する固有情報に基づいて暗号キーを作成する暗号キー作成部と、
写真撮影によって得られた画像データを前記暗号キーを用いて暗号化する暗号処理部と、
画像データが記録される記録メディアが装抜自在に装填されるメディア装填部と、
前記暗号処理部によって暗号化された画像データを前記メディア装填部に装填された記録メディアに記録する画像記録部と、
前記暗号処理部で前記暗号キーを用いて暗号化された画像データを復号化する復号処理部と、
前記復号処理部により復号化された画像データに基づく画像を表示する画像表示とを備えたことを特徴とするデジタルカメラ。
【請求項２】
前記暗号キーを用いて暗号化された画像データを受信する受信部と、
前記記録メディアから読み出されあるいは前記受信部で受信されて、さらに前記復号処理部で復号化された画像データを送付する送信部とを備えたことを特徴とする請求項１記載のデジタルカメラ。
【請求項３】
前記固体撮像素子の傷の位置を表わす傷補正情報を記憶しておく傷補正情報記憶部と、
写真撮影により得られた画像データに前記傷補正情報記憶部に記憶された傷補正情報に基づく傷補正処理を施す傷補正処理部とを備え、
前記暗号キー作成部は、前記傷補正情報に記憶された、前記固有情報としての傷補正情報に基づいて暗号キーを作成するものであることを特徴とする請求項１または２記載のデジタルカメラ。
【発明の詳細な説明】
【０００１】
【発明の属する技術分野】
本発明は、撮像素子上に結像された被写体像を読み取って画像データを得る写真撮影を行なうデジタルカメラに関する。
【０００２】
【従来の技術】
近年、記録メディアなど、カメラ本体内に装抜自在のメモリに画像データを記録するデジタルカメラのなかには、メモリを紛失した際のプライバシ保護のために、画像データを暗号化して記録するものがある。
【０００３】
この画像データの暗号化は、そのカメラの固有の情報に基づいて作成された暗号キーと呼ばれるものを利用して行なわれている（例えば、特許文献１参照。）
この暗号キーは、まず、そのカメラの固有情報がホストコンピュータなどの暗合キーの作成が可能な外部機器に送信されて作成される。
【０００４】
ホストコンピュータで作成された暗号キーは、カメラに返送され、カメラは、この暗号キーで画像データの暗号化を行なっている。
【０００５】
【特許文献１】
特願平１１−１０７２２３号公報
【０００６】
【発明が解決しようとする課題】
ところが、上述したようなデジタルカメラでは、画像データ暗号化の基となる固有情報および暗号キーがホストコンピュータとの間でやり取りされるため、これら情報が漏洩するおそれがあり、これに伴いプライバシの保護が図りにくいという問題がある。
【０００７】
本発明は、上記事情に鑑み、従来よりも、プライバシを保護する工夫が図られたデジタルカメラを提供することを目的とする。
【０００８】
【課題を解決するための手段】
上記目的を達成するための本発明のデジタルカメラは、
撮像素子上に結像された被写体像を読み取って画像データを得る写真撮影を行なうデジタルカメラにおいて、
自身が有する固有情報に基づいて暗号キーを作成する暗号キー作成部と、
写真撮影によって得られた画像データを上記暗号キーを用いて暗号化する暗号処理部と、
画像データが記録される記録メディアが装抜自在に装填されるメディア装填部と、
上記暗号処理部によって暗号化された画像データを上記メディア装填部に装填された記録メディアに記録する画像記録部と、
上記暗号処理部で上記暗号キーを用いて暗号化された画像データを復号化する復号処理部と、
上記復号処理部により復号化された画像データに基づく画像を表示する画像表示とを備えたことを特徴とする。
【０００９】
本発明のデジタルカメラでは、従来においてはカメラ外部で作成されていた暗号キーを内製化しているために、暗号化キーなどの漏洩を防止することができる。これにより、例え、第三者がこのカメラで使用されたメモリを手に入れても、このカメラをも手に入れなければメモリに記録されている画像を見ることができない。したがって、本発明のデジタルカメラによれば、従来よりも、プライバシの保護を図ることができる。
【００１０】
ここで、本発明のデジタルカメラが、
上記暗号キーを用いて暗号化された画像データを受信する受信部と、
上記記録メディアから読み出され、あるいは、上記受信部で受信されて、さらに上記復号処理部で復号化された画像データを送付する送信部とを備えたものであってもよい。
【００１１】
このようにすると、暗号化されたまま、例えばホストコンピュータなどの外部機器に送信された画像データは、このカメラを経由しないと画像に復号化することはできないのはもちろんのこと、このカメラを経由しなければ、暗号化された画像データを復号化して外部機器に送信できないようにすることができる。
【００１２】
さらに、本発明のデジタルカメラが、
上記固体撮像素子の傷の位置を表わす傷補正情報を記憶しておく傷補正情報記憶部と、
写真撮影により得られた画像データに上記傷補正情報記憶部に記憶された傷補正情報に基づく傷補正処理を施す傷補正処理部とを備え、
上記暗号キー作成部は、上記傷補正情報に記憶された、上記固有情報としての傷補正情報に基づいて暗号キーを作成するものであることが好ましい。
【００１３】
このようにすると、簡単には想到しえない暗号キーを簡易に作成することができる。
【００１４】
【発明の実施の形態】
以下、本発明のデジタルカメラの実施形態について説明する。
【００１５】
図１および図２は、本発明のデジタルカメラの一実施形態の外観斜視図である。
【００１６】
図１に示すデジタルカメラ１の正面には、撮影レンズ１１ａを内蔵するレンズ鏡胴１１、ファインダ対物窓１２、フラッシュ発光窓１３、およびＡＥ受光窓２５が備えられている。
【００１７】
図１に示すデジタルカメラの左側面には、画像データを電話通信回線で送信するためのモジューラジャック１４、および、この画像データをホストコンピュータなどに送信するときに使用されるＵｎｉｖｅｒｓａｌ  Ｓｅｒｉａｌ  Ｂｕｓ（ＵＳＢ）ケーブルが接続されるＵＳＢ端子１５が設けられている。
【００１８】
図１に示すデジタルカメラの上面には、レリーズボタン２３が示されている。
【００１９】
図２に示すデジタルカメラの背面には、画像を表示する液晶パネル１６、液晶パネルによる画像表示をオン／オフするための液晶パネル起動ボタン１６ａ、ファインダ接眼窓１７、各種機能の選択およびズームを行なう際に操作する十字キー１８、液晶パネル上にメニューを画像表示させたり、その確定に使用されるメニュー／ＯＫスイッチ１９、撮影画像を記録メディアに記録しない場合に操作されるキャンセルボタン２４、およびメインスイッチ２０が示されている。十字キー１８は、４つのキーで構成されており、上下のキーは、それぞれズームアップおよびズームダウンに使用され、左右のキーは、記録されたている画像データで表される画像を順次画像表示するためのものである。
【００２０】
また、図２に示すデジタルカメラの背面には、このデジタルカメラ１に備えられている‘撮影記録機能’および‘画像データ再生機能’のうちのいずれを選択するかを決定するために操作される機能選択レバー２１も示されており、この機能選択レバー２１を上側にもっていくと‘撮影記録機能’が選択され、この機能選択レバー２１を下側にもっていくと‘画像データ再生機能’が選択される。
【００２１】
図２に示すデジタルカメラ１の下面には、開閉自在の蓋２２が取り付けられており、カメラ内部には、装脱自在に記録メディアが装填される記録メディア装填室２２ａと、装脱自在にバッテリが装填されるバッテリ装填室２２ｂとが備えられている。これらは、蓋２２によって閉鎖されている。
【００２２】
本実施形態のデジタルカメラ１は、詳しくは後述するが、固体撮像素子としてＣＣＤ（Ｃｈａｒｇｅ  Ｃｏｕｐｕｌｅｄ  Ｄｅｖｉｃｅ）撮像素子を採用する、ズームレンズ内蔵デジタルスチルカメラであり、ズーム機能は、光学ズームと電子ズームを併用している。尚、このデジタルカメラ１では、メインスイッチ２０をオンすると、カメラ前面に備えられると共にレンズを覆っていた図示しないレンズカバーが開かれ、レンズ鏡胴１１が所定の位置まで繰り出される。メインスイッチ２０をオフすると、繰り出されていたレンズ鏡胴１１がカメラ内部に沈胴され、撮影レンズ１１ａはそのレンズカバーによって覆われる。
【００２３】
図３は、本実施形態のデジタルカメラの内部ブロック図である。尚、このデジタルカメラ１には、フラッシュ発光部、光学ズームやフォーカシングを行なうために駆動されるモータ、モータを制御するモータドライバなどが備えられているが、これらの図示は、本発明と無関係であるので図３では省略されている。
【００２４】
図３には、このデジタルカメラ１全体を制御する制御部３０と、撮像レンズ１１ａを通して被写体を結像するＣｈａｒｇｅ  Ｃｏｕｐｌｅｄ  Ｄｅｖｉｃｅ（ＣＣＤ）撮像素子を構成要素に含む撮像部３１と、図示しないＳＤＲＡＭ、このＳＤＲＡＭにデジタル画像データを格納する画像入力コントローラ、ＳＤＲＡＭに格納されているデジタル画像データを圧縮可能なように処理する画像信号処理回路、圧縮可能なように処理されたデジタル画像データを圧縮する圧縮処理回路などを構成要素として含む画像処理部３２と、制御部３０によってファイル形式に変換された圧縮済みのデジタル画像データの、記録メディア３３に対する記録を制御するメディアコントローラ３６、ＳＤＲＡＭから転送された圧縮前のデジタル画像データが格納されている図示しないＶＲＡＭの画像データに同期信号を付加してビデオ信号を作成し、このビデオ信号をデジタル信号からアナログ信号に変換する図示しない画像表示制御装置によって画像が表示される液晶パネル１６と、図２に示す各種スイッチに対する操作を検出する操作部３５とが示されている。
【００２５】
さらに、図３には、このデジタルカメラ１に備えられている固体撮像素子を構成する受光素子のなかの不良の受光素子の位置、および、その受光素子に行なわれる補正内容などの情報が記憶されている傷補正情報記憶部４０と、傷補正情報記憶部４０に記憶された情報に応じて傷補正を実行する傷補正処理部４１と、前記傷補正情報に基づいて暗号キーを作成する暗号キー作成部４２と、この暗号キーを用いて画像データの暗号化処理を行なう暗号処理部４３と、この暗号キーにより暗号化された画像データを復号化する復号処理部４４と、電話通信回線で接続された外部のサーバー５０、あるいはＵＳＢで接続されたホストコンピュータ６０との間で、画像データを受信する受信部および画像データを送信する送信部を備えた通信ポート４５とが示されている。
【００２６】
本実施形態のデジタルカメラ１では、このカメラの固有情報である固体撮像素子の傷補正情報に基づいて、画像データを暗号化する暗号キーがカメラ内部で作成されている。このため、このデジタルカメラ１が無ければ、いくら記録メディアだけを手に入れても、このカメラによって暗号化されている画像データの復号化は不可能である
次に、本実施形態のデジタルカメラ１の動作の流れについて、図２および図３を参照しながら説明する。
【００２７】
このデジタルカメラ１には、メーカーの工場出荷の時点ですでに、固体撮像素子を構成する受光素子のうちの不良受光素子の位置情報および傷補正情報が記憶されており、それら情報に基づいて画像データを暗号化する暗号キーが、図３に示す暗号キー作成部４２において作成されている。
【００２８】
図２に示す記録メディア装填室２２ａに記録メディア、バッテリ装填室２２ｂにバッテリがそれぞれ装填され、図２に示す電源ボタン２０が押下されると、デジタルカメラ１は、オン状態となり、図２に示す機能選択レバーを上側にもっていくと‘撮影記録機能’が選択される。
【００２９】
このデジタルカメラ１では、機能選択レバー２１によって‘撮影記録機能’が選択されると、図２および図３に示す液晶パネル１６に被写界のスルー画像がリアルタイムで表示される。
【００３０】
スルー画像が表示された液晶パネルで被写体を確認し、レリーズボタン１９を押下すると、その押下のタイミングで液晶パネルに表示されていた画像がスルー画像に代わって表示される。この画像の画像データは、図２に示すメニュー／ＯＫボタン１９を押下することでメディアコントローラ３６を通じて記録メディア３３に記録されるが、記録メディアに記録される前に、図３に示す暗号処理部４３において暗号化される。
【００３１】
一方、機能選択レバー２１を下方に下げると、‘画像データ再生機能’が選択され、これまでに記録メディア３３に記録された画像データで表される画像が、図２に示す十字キー１８を操作することで液晶パネル１６に表示される。しかし、これは、このデジタルカメラ１の暗号処理部４３で暗号化されて記録メディア３３に記憶されていた画像データを、図３に示す復号処理部４４で復号化して行なわれているため、この記録メディア３３を、このデジタルカメラ１とは別のデジタルカメラに装填しても暗号キーが不明であるため画像は正確に表示されない。
【００３２】
ここで、このデジタルカメラ１と外部機器との間で行なわれる画像データの送受信について説明する。
【００３３】
このデジタルカメラ１から、電話通信回線５１で接続されたサーバー５０への画像データの送信は、画像データの漏洩を防止するために暗号化されたまま行なわれる。また、このデジタルカメラ１は、ホストコンピュータ６０とＵＳＢ端子６１で接続されることで、ホストコンピュータ６０にすでに暗号化されたまま送信されていた画像データを受信することができ、また、記録メディア３３に記憶されている暗号化された画像データを復号化して、ＵＳＢ端子６１で接続されたホストコンピュータ６０に送信することもできる。
【００３４】
図４は、図２に示す電源スイッチがオンされると起動されるルーチンのフローチャートである。
【００３５】
図４に示すステップＳ１では、機能選択レバーによって、‘撮影記録機能’および‘画像データ再生機能’のうちの‘撮影記録機能’が選択されているか否かが判定される。
【００３６】
ステップＳ１において、‘撮影記録機能’が選択されていると判定されると、ステップＳ２に進み、固体撮像素子で得られた画像信号は図３に示す傷補正処理部において補正される。その後、ステップＳ３に進み、液晶パネルにスルー画像が表示される。ステップＳ４では、レリーズボタン２３がオンされているか否かが判定される。
【００３７】
ステップＳ４において、レリーズボタンがオンされていないと判定されると、ステップＳ１に戻り、レリーズボタンがオンされていると判定されると、ステップＳ５に進み、レリーズボタンを押下するタイミングで液晶パネルに表示されていた画像がスルー画像に代わって表示される。その後、ステップＳ７に進む。
【００３８】
ステップＳ７では、記録メディアにその画像を記録するか否か、すなわち図２に示すメニュー／ＯＫボタン１９がオンされたか否かが判定され、オンされていないと判定されると、ステップＳ６に進み、キャンセルボタン２４がオンされているか否かが判定される。
【００３９】
ステップＳ６において、キャンセルボタン２４がオンされていないと判定されるとステップＳ５に戻り、キャンセルボタン２４がオンされていると判定されると、ステップＳ１に戻る。
【００４０】
ステップＳ７において、メニュー／ＯＫボタン１９がオンされていると判定されると、ステップＳ８に進み、液晶パネルに表示されている静止画の画像データを暗号化する。その後、ステップＳ９に進み、ステップＳ８において暗号化した画像データを記録メディアに記録する。その後、ステップＳ１に戻る。
【００４１】
一方、ステップＳ１において、‘撮影記録機能’が選択されていないと判定された場合は、通常のルーチンによる処理が行なわれ、その後、ステップＳ１に戻る。
【００４２】
図５は、デジタルカメラと外部機器との間で画像データの送受信が行なわれる際に起動されるルーチンのフローチャートである。
【００４３】
このルーチンは、デジタルカメラの左側面に設けられた、モジューラジャック１４およびＵＳＢ端子１５のいずれかにモジューラーまたはＵＳＢが接続された場合に起動され、ステップＳ１では、今回の通信が外部機器への送信であるか否かが判定される。外部機器への送信、あるいは受信は、液晶パネルに表示される‘送信’および‘受信’のいずれかを十字キー１８で選択し、メニュー／ＯＫボタン１９を押下することで決定される。
【００４４】
ステップＳ１において、今回の通信が外部機器への送信であると判定されると、ステップＳ２に進み、送信データの選択が行なわれる。その後、ステップＳ３に進み、送信データの選択が行なわれたか否か判定される。
【００４５】
ステップＳ３において、送信データの選択が終了していないと判定されると、ステップＳ１に戻り、送信データの選択が終了している判定されると、ステップＳ４に進む。
【００４６】
ステップＳ４では、通信手段が電話通信回線か否かが判定され、通信手段が電話通信回線であると判定されるとステップＳ７に進み、通信手段が電話通信回線ではないと判定されるとステップＳ５に進む。
【００４７】
ステップＳ５では、復号化がして送信するか否かが判定される。暗号化されて記録メディア３３に記録されている画像データを‘暗号化’したままの、あるいは‘復号化’しての外部への送信は、液晶パネルに表示される、‘暗号’および‘復号’のいずれかを十字キーで選択し、メニュー／ＯＫボタンを押下することで決定される。
【００４８】
ステップＳ５において、復号化しての送信ではないと判定されると、ステップＳ７に進み、復号化しての送信であると判定されると、ステップＳ６に進み、暗号化されている画像データの復号化が行なわれる。その後、ステップＳ７に進む。ステップＳ７では、復号化された画像データの、外部機器への送信が行なわれる。その後、ステップＳ１に戻る。
【００４９】
一方、ステップＳ１において、外部機器への送信ではないと判定された場合に話を戻して説明する。
【００５０】
この場合にはステップＳ８に進み、受信がＯＫか否かが判定される。外部機器からのデータの受信がＯＫの場合には、メニュー／ＯＫボタンを押下することで応答する。
【００５１】
ステップＳ８において、受信がＯＫではないと判定されると、ステップＳ１に戻り、受信がＯＫであると判定されると、ステップＳ９に進み、データの受信が行なわれる。その後、ステップＳ１０に進み、受信したデータを記録するか否かが判定される。ステップＳ１０において、記録しない、すなわち図２に示すキャンセルボタン２４が押下されたと判定されると、ステップＳ１に戻り、記録する、すなわちメニュー／ＯＫボタン１９が押下されたと判定されると、ステップＳ１１に進み、暗号化が行なわれ、その後、ステップＳ１２において記録メディア３３への記録が行なわれる。その後、ステップＳ１に戻る。
【００５２】
以上に説明したように、デジタルカメラ１では、従来においてはカメラ外部で作成されていた暗号キーを内製化しているために、暗号化キーなどの漏洩を防止できるため、例え、第三者がこのカメラで使用された記録メディア３３を手に入れても、このカメラをも手に入れなければその記録メディアに記憶されている画像を見ることができない。したがって、本実施形態のデジタルカメラ１によれば、従来よりも、プライバシの保護を図ることができる。
【００５３】
尚、本実施形態では、カメラの固有情報として、固体撮像素子の傷情報を採用した例を挙げて説明したが、本発明はこれに限らず、そのカメラの製造番号などを固有情報として採用するものであってもよい。また、本実施形態では、外部機器とのデータ転送機能を有する場合を例に挙げて説明したが、このような機能を備えないものであっても、本発明の目的は減却されるものではない。
【００５４】
【発明の効果】
以上説明したように、本発明のデジタルカメラによれば、従来よりも、プライバシの保護を図ることができる。
【図面の簡単な説明】
【図１】本発明のデジタルカメラの一実施形態の外観斜視図である。
【図２】本発明のデジタルカメラの一実施形態の外観斜視図である。
【図３】本実施形態のデジタルカメラの内部ブロック図である。
【図４】図２に示す電源スイッチがオンされると起動されるルーチンのフローチャートである。
【図５】デジタルカメラと外部機器との間で画像データの送受信が行なわれる際に起動されるルーチンのフローチャートである。
【符号の説明】
１  デジタルカメラ
１１  レンズ鏡胴
１１ａ  撮影レンズ
１２  ファインダ対物窓
１３  フラッシュ発光窓
１４  モジューラージャック
１５  ＵＳＢ端子
１６  液晶パネル
１６ａ  液晶パネル起動ボタン
１７  ファインダ接眼窓
１８  十字キー
１９  メニュー／ＯＫスイッチ
２０  メインスイッチ
２１  機能選択レバー
２２  蓋
２２ａ  記録メディア装填室
２２ｂ  バッテリ装填室
２３  レリーズボタン
２４  キャンセルボタン
２５  ＡＥ受光窓
３０  制御部
３１  撮像部
３２  画像処理部
３３  記録メディア
３５  操作部
３６  メディアコントローラ
４０  傷修正情報記憶部
４１  傷補正処理部
４２  暗合キー作成部
４３  暗合処理部
４４  復号処理部
４５  通信ポート
５０  サーバー
５１  電話通信回線
６０  ホストコンピュータ
６１  ＵＳＢ
【図１】
2004173154.tif 000003
【図２】
2004173154.tif 000004
【図３】
2004173154.tif 000005
【図４】
2004173154.tif 000006
【図５】
2004173154.tif 000007